【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
建設機械から送信される情報を基地局に設けられた受信装置で受信する管理システムであって、
前記建設機械は、当該建設機械の位置情報を検知する位置検知装置と、前記建設機械のエンジン始動および停止の有無を判定し、エンジン始動時および停止時に送信信号を出力する判定装置と、前記送信信号に応答して、そのとき検知された前記位置情報を建設機械の位置異常を判定するための情報として基地局に送信する送信装置とを有し、
前記基地局は、エンジン始動時に検知された前記位置情報とその前のエンジン停止時に検知された位置情報とが所定距離以上離れているか否かを判定し、所定距離以上離れている場合に他の機関へ前記エンジン始動時の位置情報を出力する基地局側送信装置を備えることを特徴とする建設機械の管理システム。
【請求項２】
建設機械から送信される情報を基地局に設けられた受信装置で受信する管理システムであって、
前記建設機械は、当該建設機械の位置情報を検知する位置検知装置と、建設機械のエンジン停止時に検知された前記位置情報を記憶する記憶装置と、エンジン始動時に検知された前記位置情報と前記記憶されたエンジン停止時の位置情報とが所定距離以上離れているか否かを判定し、所定距離以上離れている場合に送信信号を出力する判定装置と、前記送信信号に応答して前記エンジン始動時の位置情報を基地局に報知すべく送信する送信装置とを有し、
前記基地局は、前記位置情報を受信した際には、その位置情報を他の機関へ送信する基地局側送信装置を備えることを特徴とする建設機械の管理システム。
【請求項３】
請求項１または２に記載の建設機械の管理システムにおいて、
前記他の機関は、前記基地局側送信装置から送信される位置情報を受信する端末機を備え、
前記端末機は予め作成される管理データにおける位置情報を記憶し、前記基地局側送信装置から送信されてきた位置情報と、前記管理データにおける位置情報とを比較して異常の有無を判断し、その結果を表示する表示装置を備えることを特徴とする建設機械の管理システム。
【請求項４】
請求項１または２に記載の建設機械の管理システムにおいて、
前記他の機関は、前記基地局の基地局側送信装置から送信される位置情報を受信する端末機を備え、
前記基地局は、作業エリア情報を記憶する記憶装置をさらに有し、
前記基地局側送信装置は、前記記憶装置に作業エリアが記憶されている場合には、受信した前記位置情報と前記作業エリアとに基づいて前記建設機械の異常状態を判定し、異常状態であると判定すると、前記端末機に異常状態を送信することを特徴とする建設機械の管理システム。
【請求項５】
請求項４に記載の建設機械の管理システムにおいて、
前記基地局の基地局側送信装置は、前記記憶装置に作業エリアが記憶されていない場合には、前記端末機に前記建設機械の位置情報を送信することを特徴とする建設機械の管理システム。
【請求項６】
請求項４または５に記載の建設機械の管理システムにおいて、
前記基地局の記憶装置に記憶される前記作業エリアは、前記端末機によって送信されて設定されることを特徴とする建設機械の管理システム。
【請求項７】
請求項４から６のいずれかに記載の建設機械の管理システムにおいて、
前記基地局側送信装置は、前記端末機への異常状態の送信と同期させて前記建設機械へエンジンを停止させる信号を送信することを特徴とする建設機械の管理システム。
【請求項８】
建設機械から送信される情報を基地局に設けられた受信装置で受信する管理システムであって、
前記建設機械は、当該建設機械の位置情報を検知する位置検知装置と、作業エリアを記憶する記憶装置と、前記記憶装置に作業エリアが記憶されている場合には、前記位置情報と前記作業エリアとに基づいて前記建設機械の異常状態を判定し、異常状態であると判定すると、前記異常状態と前記位置情報とを基地局へ送信する送信装置とを有し、
前記基地局は、前記建設機械の記憶装置に作業エリアを送信する基地局側送信装置を備えたことを特徴とする建設機械の管理システム。
【手続補正２】
【補正対象書類名】明細書
【補正対象項目名】発明の名称
【補正方法】変更
【補正の内容】
【発明の名称】建設機械の管理システム
【手続補正３】
【補正対象書類名】明細書
【補正対象項目名】０００１
【補正方法】変更
【補正の内容】
【０００１】
本発明は、基地局に位置情報を送信することが可能な建設機械を用いた管理システムに関する。
【手続補正４】
【補正対象書類名】明細書
【補正対象項目名】０００７
【補正方法】変更
【補正の内容】
【０００７】
本発明は、建設機械の位置情報を必要に応じて送信することで送信費の節約を図るとともに、建設機械の被供給者または被提供者にできるだけ不便を感じさせないようにした建設機械の管理システムを提供する。
【手続補正５】
【補正対象書類名】明細書
【補正対象項目名】０００８
【補正方法】変更
【補正の内容】
【０００８】
請求項１の発明は、建設機械から送信される情報を基地局に設けられた受信装置で受信する管理システムに適用され、建設機械は、当該建設機械の位置情報を検知する位置検知装置と、建設機械のエンジン始動および停止の有無を判定し、エンジン始動時および停止時に送信信号を出力する判定装置と、送信信号に応答して、そのとき検知された位置情報を建設機械の位置異常を判定するための情報として基地局に送信する送信装置とを有し、基地局は、エンジン始動時に検知された位置情報とその前のエンジン停止時に検知された位置情報とが所定距離以上離れているか否かを判定し、所定距離以上離れている場合に他の機関へエンジン始動時の位置情報を出力する基地局側送信装置を備えることを特徴とするものである。
請求項２の発明は、建設機械から送信される情報を基地局に設けられた受信装置で受信する管理システムに適用され、建設機械は、当該建設機械の位置情報を検知する位置検知装置と、建設機械のエンジン停止時に検知された位置情報を記憶する記憶装置と、エンジン始動時に検知された位置情報と記憶されたエンジン停止時の位置情報とが所定距離以上離れているか否かを判定し、所定距離以上離れている場合に送信信号を出力する判定装置と、送信信号に応答してエンジン始動時の位置情報を基地局に報知すべく送信する送信装置とを有し、基地局は、位置情報を受信した際には、その位置情報を他の機関へ送信する基地局側送信装置を備えることを特徴とするものである。
請求項３の発明は、請求項１または２に記載の建設機械の管理システムにおいて、他の機関は、基地局側送信装置から送信される位置情報を受信する端末機を備え、端末機は予め作成される管理データにおける位置情報を記憶し、基地局側送信装置から送信されてきた位置情報と、管理データにおける位置情報とを比較して異常の有無を判断し、その結果を表示する表示装置を備えることを特徴とするものである。
請求項４の発明は、請求項１または２に記載の建設機械の管理システムにおいて、他の機関は、基地局の基地局側送信装置から送信される位置情報を受信する端末機を備え、基地局は、作業エリア情報を記憶する記憶装置をさらに有し、基地局側送信装置は、記憶装置に作業エリアが記憶されている場合には、受信した位置情報と作業エリアとに基づいて建設機械の異常状態を判定し、異常状態であると判定すると、端末機に異常状態を送信することを特徴とするものである。
請求項５の発明は、請求項４に記載の建設機械の管理システムにおいて、基地局の基地局側送信装置は、記憶装置に作業エリアが記憶されていない場合には、端末機に建設機械の位置情報を送信することを特徴とするものである。
請求項６の発明は、請求項４または５に記載の建設機械の管理システムにおいて、基地局の記憶装置に記憶される作業エリアは、端末機によって送信されて設定されることを特徴とするものである。
請求項７の発明は、請求項４から６のいずれかに記載の建設機械の管理システムにおいて、基地局側送信装置は、端末機への異常状態の送信と同期させて建設機械へエンジンを停止させる信号を送信することを特徴とするものである。
請求項８の発明は、建設機械から送信される情報を基地局に設けられた受信装置で受信する管理システムに適用され、建設機械は、当該建設機械の位置情報を検知する位置検知装置と、作業エリアを記憶する記憶装置と、記憶装置に作業エリアが記憶されている場合には、位置情報と作業エリアとに基づいて建設機械の異常状態を判定し、異常状態であると判定すると、異常状態と位置情報とを基地局へ送信する送信装置とを有し、基地局は、建設機械の記憶装置に作業エリアを送信する基地局側送信装置を備えたことを特徴とするものである。